(57)【特許請求の範囲】
【請求項１】
非接触型ＩＣカードから送信されたＩＤデータを受信する通信部と、予め必要なデータを記憶する記憶部と、前記通信部に受信されたＩＤデータと前記記憶部に記憶された記憶データとを照合して各データが一致した場合に前記通信部から許可信号を送信させる制御部と、接触型ＩＣカードに対する支払データの読み取り並びに書き込みを行う読み書き部と、外部自動料金収受装置から送信された料金徴収データ並びに前記通信部から送信された許可信号を受信処理すると共に前記読み書き部から読み取られた支払データを前記通信部から送信された許可信号に基づいて前記外部自動料金収受装置に送信処理する無線通信処理部とを備えていることを特徴とする自動料金収受システムの不正利用防止装置。
【請求項２】
前記通信部と前記記憶部と前記制御部とを備えた非接触型カード処理機と、前記読み書き部と前記無線通信処理部とを備えた車載自動料金収受装置とを備えていることを特徴とする請求項１に記載の自動料金収受システムの不正利用防止装置。
【請求項３】
前記非接触型カード処理機は前記記憶部に記憶させる記憶データの入力装置を備え、該入力装置は前記読み書き部に対する支払データの入力装置を兼用していることを特徴とする請求項２に記載の自動料金収受システムの不正利用防止装置。
【請求項４】
前記記憶部には暗証番号が記憶され、前記制御部は前記入力装置から前記記憶部に記憶された暗証番号の入力があった場合にのみそれ以降の前記入力装置による作動を有効とすることを特徴とする請求項３に記載の自動料金収受システムの不正利用防止装置。
【請求項５】
前記制御部は前記非接触型ＩＣカードから送信されたＩＤデータと前記記憶部に記憶された記憶データとが一致した場合に前記入力装置の作動を有効とすることを特徴とする請求項３に記載の自動料金収受システムの不正利用防止装置。
【発明の詳細な説明】
【０００１】
【発明の属する技術分野】
本発明は、高速道路等に設置された自動料金収受システムに用いられる不正利用防止装置に関する。
【０００２】
【従来の技術】
近年のキャッシュレス化に伴い、高速道路等においても自動料金収受システム（通称：ＥＴＣ）が実用化されようとしている。
【０００３】
この自動料金収受システムは、各料金所等に設置された道路自動料金収受を行うための外部自動料金収受装置と、各車両のフロントウインドウガラス等に搭載された車載機器とを電波通信によって行うもので、これによって高速道路入り口等の料金所ブースを通過する際に、その通過した料金所ブースの係員と直接現金やカードの受渡しをすることなく、無線の送受信にて料金の決済を行うことができる（例えば、特開平５−２９７７００号公報参照）。
【０００４】
この際、料金支払者を特定するための車両ＩＤあるいは支払口座ＩＤを必要としており、道路自動料金収受を行うための車載機器は１ピースで構成される単なるＩＤタグの形状ではなく、ＩＣカードコンタクト部を持つ車載自動料金収受装置と、この車載自動料金収受装置のＩＣカードコンタクト部に挿入される接触型ＩＣカードの２ピースで構成されている。
【０００５】
接触型ＩＣカードは、例えば、国や地方レベルの各種有料道路の利用料金等を共同決済する共同業務処理センターから発行され、上述した各種有料道路の利用料金の支払の他、各サービスエリア等に設置されている積増し機（外部自動料金収受装置内蔵）を利用しての前納金（プリペイド），回数券の積み増し，領収書や利用料金明細書の発行等を行うことができる。
【０００６】
尚、接触型ＩＣカード並びに外部自動料金収受装置や積増し機は共同事業処理センターによって管理される。この際、接触型ＩＣカードは使用者側のプライパシーの保護や不正使用の防止を考慮した上で道路管理者が必要とする情報を発信しなければならない。
【０００７】
【発明が解決しようとする課題】
ところで、上記の如く構成された自動料金収受システムにあっては、接触型ＩＣカードの所有者若しくは所有者が使用を認知している非所有者による正規の状態での非接触型ＩＣカードの使用を可能としている一方、例えば、所有者本人が知人等に車両を貸し出す際に非接触型ＩＣカード毎貸し出した状態や、非接触型ＩＣカードを紛失したにもかかわらず紛失届が出されていない状態等、所有者若しくは所有者が使用を認知している非所有者以外の不測若しくは不正な使用を防止することができないという問題があった。
【０００８】
本発明は、上記事情に鑑みなされたものであって、接触型ＩＣカードと非接触型ＩＣカードの組み合わせにおいて双方のコードが一致した時にのみＩＣカード機能を有効とすることによって不正利用防止効果を向上させることができる自動料金収受システムの不正利用防止装置を提供することを目的とする。
【０００９】
【課題を解決するための手段】
その目的を達成するため、請求項１に記載の発明は、非接触型ＩＣカードから送信されたＩＤデータを受信する通信部と、予め必要なデータを記憶する記憶部と、前記通信部に受信されたＩＤデータと前記記憶部に記憶された記憶データとを照合して各データが一致した場合に前記通信部から許可信号を送信させる制御部と、接触型ＩＣカードに対する支払データの読み取り並びに書き込みを行う読み書き部と、外部自動料金収受装置から送信された料金徴収データ並びに前記通信部から送信された許可信号を受信処理すると共に前記読み書き部から読み取られた支払データを前記通信部から送信された許可信号に基づいて前記外部自動料金収受装置に送信処理する無線通信処理部とを備えていることを要旨とする。
【００１０】
【発明の実施の形態】
次に、本発明の自動料金収受システムの不正利用防止装置の実施の形態を図面に基づいて説明する。
【００１１】
図１において、１０は使用者が携帯する非接触型ＩＣカード、２０は接触型ＩＣカード１０から発信された情報を処理する非接触型カード処理機、３０は接触型ＩＣカード、４０は図示を略する共同業務処理センターに管理される外部自動料金収受装置１と無線通信される車載自動料金収受装置である。尚、非接触型カード処理機２０は車載自動料金収受装置４０と一体でも良い。
【００１２】
非接触型カード１０は簿型直方体形状を呈しており、電源供給用のシート電池（バッテリ）１１、ターミナルメモリ１２、プロセッサ１３、送受信子機１４を内蔵している。尚、これらは相互にデータバスによりデータの授受を行えるようになっている。また、非接触式カード１０は電波によって電源供給されるタイプも有り、この場合にはシート電池１１は内蔵されていない。
【００１３】
ターミナルメモリ１２は運転者個人の運転免許証に記載されている諸情報（氏名・生年月日・本籍・住所・番号・種類等）等をＩＤデータとして記憶する。
【００１４】
プロセッサ１３は、非接触型カード処理機２０との間で送受信されるデータの処理や通信の制御を行う。
【００１５】
送受信子機１４は、電磁波や光等の伝送媒体を介して非接触で非接触型カード処理機２０との通信を行う。
【００１６】
非接触型カード処理機２０は、非接触型ＩＣカード１０から送信されたＩＤデータを受信する通信部２１、予め必要な記憶データを記憶する記憶部２２、通信部２１に受信されたＩＤデータと記憶部２２に記憶された記憶データとを照合して各データが一致した場合に通信部２１から許可信号を送信させる制御部２３、記憶部２２に記憶させるデータの入力装置２４を備えている。
【００１７】
通信部２１は、送受信される各データの信号処理化や所定の法則或いは演算式に基づく暗号化の処理を行う。
【００１８】
記憶部２２は、ターミナルメモリ１２に記憶されたＩＤデータと同一の記憶データが予め記憶されている。尚、記憶部２２には、例えば、会社等のように、１台の車両に対して複数の運転者がいる場合などのために、複数のＩＤデータに相当する記憶データの記憶が可能となっている。また、記憶部２２には記憶データの追加や変更を行う際の確認用の暗証番号が記憶されている。
【００１９】
入力装置２４には、テンキーや変換キーなど、記憶部２２に記憶される記憶データの追加・変更に際して必要とされる入力キーが設けられ、ポート２４を介して非接触型カード処理機２０に接続される。尚、入力装置２４は非接触型カード処理機２０と一体でも良い。
【００２０】
尚、入力装置２４は、記憶部２２に記憶された暗証番号が入力装置２４から制御部２３に入力があった場合にのみそれ以降の作動（記憶データの追加・変更処理）が有効とならないように設定したり、非接触型ＩＣカード１０から送信されたＩＤデータと記憶部２２に記憶された記憶データとが一致しない場合には作動しないように設定することによって、非接触型ＩＣカード１０や接触型ＩＣカード４０の不正使用防止効果を一層向上させることができる。
【００２１】
接触型ＩＣカード３０は、車載自動料金収受装置４０に対して着脱可能となっており、コンタクト部３１、ＣＰＵ３２、科金収受に関する情報（例えば、ＩＤデータなど）が記録されたＥＥＰＲＯＭ３３、情報（例えば、残金や利用開始インターチェンジ名など）の読み出し・書き込み時に使用されるワークエリアとしてのＲＡＭ３４を備えている。
【００２２】
車載自動料金収受装置４０は、読み書き部４１、無線通信処理部４２、制御部４３を備えている。
【００２３】
読み書き部４１は、接触型ＩＣカード３０が挿入されると共に、コンタクト部３１を介して接触型ＩＣカード３０に対する支払データの読み取り並びに書き込みを行う。尚、入力装置２４は読み書き部４１を介しての接触型ＩＣカード３０に対する支払データ（ＩＤデータに相当するデータ等）の入力装置を兼用している。
【００２４】
無線通信処理部４２は、外部自動料金収受装置１から送信された料金徴収データを受信処理し、読み書き部４１から読み取られた支払データを制御部２３から送信された許可信号に基づいて外部自動料金収受装置１に送信処理する。また、無線通信処理部４２は、送受信される各データの信号処理化や所定の法則或いは演算式に基づく暗号化の処理を行う。
【００２５】
制御部４３は、読み書き部４１並びに無線通信処理部４２を制御すると共に、制御部２３と接続されている。
【００２６】
次に、本発明の作用（使用例）を図２に基づいて説明する。
【００２７】
（ステップ１）
ステップ１では、非接触型ＩＣカード１０の送受信部１４から出力されたＩＤデータが非接触型カード処理機２０に受信されたか否かが制御部２３によって判断され、受信有りの場合にはステップ２へと移行し、受信無しの場合には引き続きステップ１を監視する。
【００２８】
（ステップ２）
ステップ２では、受信されたＩＤデータと記憶部２２に記憶された記憶データとが照合され、各データが一致した場合には使用者本人であると認定してステップ３へと移行し、各データが一致しない場合には非使用者であると判断して作業が終了される。
【００２９】
（ステップ３）
ステップ３では、ＩＤデータと記憶データとが一致したことにより通信部２１からの許可信号が送信されてステップ４へと移行する。
【００３０】
（ステップ４）
ステップ４では、外部料金自動収受装置１からの料金徴収データの受信があった否か、即ち、高速道路の出入りのために料金所に到達したか否かが制御部４３に判断され、料金徴収データの受信有りの場合にはステップ５へと移行し、料金徴収データの受信無しの場合にはこのまま待機する。
【００３１】
（ステップ５）
ステップ５では、許可信号の受信があったか否かが制御部４３に判断され、許可信号の受信ありの場合にはステップ６へと移行し、許可信号の受信が無い場合にはこの状態を待機する。尚、ステップ２において使用者本人と確認されたにもかかわらず許可信号が所定時間経過しても受信無しの場合には故障等と判断して図示を略するスピーカ等から音声を出力しても良い。
【００３２】
（ステップ６）
ステップ６では、読み書き部４１から読み取られたＥＥＰＲＯＭ３３に記憶の支払データ（ＩＤデータ分）を無線通信処理部４２から外部料金自動収受装置１へと出力して利用者の確認がなされた後、受信された料金徴収データに基づく料金の支払いのため、読み書き部４１から読み取られたＲＯＭ３４に記憶の支払データ（料金データ分）の支払データを出力してステップ７へと移行する。
【００３３】
（ステップ７）
ステップ７では、無線通信処理部４２から出力された料金に関する支払データの受信が外部自動収受装置１によって確認された後、外部自動収受装置１から出力された料金受領データが無線通信処理部４２に受信されたか否かが判断され、料金受領データの受信有りの場合にはＲＯＭ３４に料金受領データが記憶され、料金受領データの受信無しの場合にはこの受信があるまで待機される。
【００３４】
尚、この場合においても、所定時間経過しても受信無しの場合には故障等と判断して図示を略するスピーカ等から音声を出力しても良い。また、料金徴収データ並びに料金受領データに基づく料金を図示を略する表示部に表示させることも可能である。
【００３５】
このように、高速道路などの自動料金収受システム（ＥＴＣ）において、所有者若しくは所有者が認知している非所有者による正規の状態での非接触型ＩＣカードの使用は可能とする一方、例えば、所有者本人が知人等に車両を貸し出す際に非接触型ＩＣカード毎貸し出した状態や、非接触型ＩＣカードを紛失したにもかかわらず紛失届が出されていない状態等、所有者若しくは所有者が認知している非所有者以外の不測な使用を防止することができる。
【００３６】
【発明の効果】
以上説明したように、本発明の自動料金収受システムの不正利用防止装置にあっては、非接触型ＩＣカードから送信されたＩＤデータを受信する通信部と、予め必要なデータを記憶する記憶部と、前記通信部に受信されたＩＤデータと前記記憶部に記憶された記憶データとを照合して各データが一致した場合に前記通信部から許可信号を送信させる制御部と、接触型ＩＣカードに対する支払データの読み取り並びに書き込みを行う読み書き部と、外部自動料金収受装置から送信された料金徴収データ並びに前記通信部から送信された許可信号を受信処理すると共に前記読み書き部から読み取られた支払データを前記通信部から送信された許可信号に基づいて前記外部自動料金収受装置に送信処理する無線通信処理部とを備えていることにより、接触型ＩＣカードと非接触型ＩＣカードの組み合わせにおいて双方のコードが一致した時にのみＩＣカード機能を有効とすることによって不正利用防止効果を向上させることができる。
【図面の簡単な説明】
【図１】本発明に係わる自動料金収受システムの不正利用防止装置を示し、不正利用防止装置のブロック図である。
【図２】同じく、使用例のフローチャートである。
【符号の説明】
１…外部料金自動収受装置
１０…非接触型ＩＣカード
２０…非接触型カード処理機
２１…通信部
２２…記憶部
２３…制御部
２４…入力装置
３０…接触型ＩＣカード
４０…車載自動料金収受装置
４１…読み書き部
４２…無線通信処理部
４３…制御部
【図１】
0004037516.tif 000002
【図２】
0004037516.tif 000003